(57)【特許請求の範囲】
【請求項１】
対向面に半円溝状の管挟持部（14）を有する下側半割部材（13Ａ）と上側半割部材（13Ｂ）で管（10）を挟んで支持する管枕（12）を用い、管（10）を挟んだ管枕（12）を横方向に複数列に配置し、さらに上下方向に複数段に積み重ねることにより、径の異なる複数本の管（10）を複数列複数段に配管して地中に埋設した地中埋設管路において、
前記管枕（12）は、挟持する管の径に応じて管の径が小さくなるほど幅及び高さのサイズが小さくなるように形成されており、
前記複数列複数段の管（10）は、前記管枕（12）をサイズの大きい順に積み重ねることにより、上の段へ行くほど径が小さくなるように配管されており、
前記管枕の下側半割部材（13Ａ）の下面と上側半割部材（13Ｂ）の上面には、管枕のサイズに関係なく、幅方向の中心に関して対称な位置に幅方向の間隔（Ｗ）が同じになるように嵌合部（22、24）が形成されており、上下に隣り合う管枕は前記嵌合部（22、24）を嵌合させることにより一つの管枕の上に一つの管枕だけが乗るように積み重ねられており、
前記管枕の下側半割部材（13Ａ）及び上側半割部材（13Ｂ）の、一方の側面には上下方向にスライド凸条（26）が形成され、他方の側面には上下方向にスライド凹条（28）が形成されており、最下段で横方向に隣り合う管枕（12）は前記スライド凸条（26）とスライド凹条（28）を上下方向にスライド嵌合させることにより連結されている、
ことを特徴とする地中埋設管路。
【発明の詳細な説明】
【０００１】
【発明の属する技術分野】
本発明は、通信ケーブルや電力ケーブル等を布設するための地中埋設管路に関するものである。
【０００２】
【従来の技術】
近年、通信ケーブルや電力ケーブル等を地中布設する分野においては、同じ場所に布設するケーブルの本数が多くなっていることから、ケーブル引き込み用の管を複数列複数段に埋設する場合が増えている。また地中に埋設される管の径はその中に収められるケーブルの外径に応じて定められるため、同じ場所に種々の径の管が埋設されることも多い。
【０００３】
図７は径の異なる複数本の管を複数列複数段に地中埋設する従来の方法を示す。この方法では、管10を長手方向に適当な間隔毎に挟んで支持する管枕12を用いる。管枕12は、下側半割部材13Ａと上側半割部材13Ｂとからなり、両半割部材13Ａ、13Ｂの対向面にそれぞれ半円溝状の管挟持部14を形成したものである。管挟持部14の内径は管10の外径より若干大きく設定されている。このような管枕12で管10を挟んで、地面に掘った溝16内に、まず管10を複数列に配管し、さらに上下方向に複数段に積み重ねる。その後、溝16を砂で埋め戻して管10を埋設する。
【０００４】
管枕12は、管10の径によってサイズが異なり、同じ径の管を埋設する場合に上下左右の管の間隔が一定になるように設計されている。したがって同じ径の管だけで管路を構成するときは、管の間隔が一定に保たれるため、埋め戻しの際に砂が管の間に垂直に入って行き、填圧も十分に効かせることができる。しかし図７のように、径の異なる管を埋設する場合には、下段に配置される管の間の隙間と上段に配置される管の間の隙間が横にずれるため、埋め戻しの砂は矢印Ｓのように斜めに入っていくことになり、管の間に充填されにくく、填圧も効きにくくなる。その結果、管の下側に砂が十分まわらず、埋め戻し後に管路上の道路が陥没するなどの問題が生じることがある。
【０００５】
また従来の管枕は、同じサイズであれば横方向に連結できるが、サイズが異なると横方向に連結できないため、横方向に径の異なる管が並ぶ場合には、管枕を連結せずに設置していたが、この場合には積み重ねた管の安定性が確保できないため、配管作業時や埋め戻し作業時に積み重ねた管が倒れることがある、という問題もあった。
【０００６】
本発明の目的は、径の異なる管を複数列複数段に地中埋設する場合に、埋め戻しの砂が充填されやすく、填圧も効きやすい地中埋設管路を提供することにある。
また本発明の他の目的は、配管作業時や埋め戻し作業時に積み重ねた管が倒れることのない地中埋設管路を提供することにある。
【０００７】
【課題を解決するための手段】
上記目的を達成するため本発明は、対向面に半円溝状の管挟持部を有する下側半割部材と上側半割部材で管を挟んで支持する管枕を用い、管を挟んだ管枕を横方向に複数列に配置し、さらに上下方向に複数段に積み重ねることにより、径の異なる複数本の管を複数列複数段に配管して地中に埋設した地中埋設管路において、
前記管枕は、挟持する管の径に応じて管の径が小さくなるほど幅及び高さのサイズが小さくなるように形成されており、
前記複数列複数段の管は、前記管枕をサイズの大きい順に積み重ねることにより、上の段へ行くほど径が小さくなるように配管されており、
前記管枕の下側半割部材の下面と上側半割部材の上面には、管枕のサイズに関係なく、幅方向の中心に関して対称な位置に幅方向の間隔が同じになるように嵌合部が形成されており、上下に隣り合う管枕は前記嵌合部を嵌合させることにより一つの管枕の上に一つの管枕だけが乗るように積み重ねられており、
前記管枕の下側半割部材及び上側半割部材の、一方の側面には上下方向にスライド凸条が形成され、他方の側面には上下方向にスライド凹条が形成されており、最下段で横方向に隣り合う管枕は前記スライド凸条とスライド凹条を上下方向にスライド嵌合させることにより連結されている、
ことを特徴とするものである。
このようにすると、管のサイズが異なっていても管の間の隙間が上下方向に揃うので、埋め戻しの砂が充填されやすくなり、填圧も効きやすくなる。
【０００８】
削除
【０００９】
削除
【００１０】
【発明の実施の形態】
以下、本発明の実施の形態を、図面を参照して詳細に説明する。
【００１１】
〔実施形態１〕  図１は本発明の一実施形態を示す。この地中埋設管路も、従来同様、対向面に半円溝状の管挟持部14を有する１組の下側半割部材13Ａと上側半割部材13Ｂで１本の管10を挟んで支持する管枕12を用いる。このような管枕12を用いて径の異なる複数本の管を複数列複数段に配管して地中埋設するため、まず地面に掘った溝（図示せず）の底に、一番太い管10を挟んだ管枕12を横方向に複数列に配置する。次にその上に二番目に太い管10を挟んだ管枕12を積み重ねて横方向に複数列に配置する。このとき上段の管10の中心軸線がその下の段の管10の中心軸線と上下方向に揃うようにする。さらにその上に三番目に太い管10を挟んだ管枕12を積み重ねて横方向に複数列に配置する。このときも上段の管10の中心軸線がその下の段の管10の中心軸線と上下方向に揃うようにする。
【００１２】
このようにして径の異なる管10を太い方から順に複数列複数段に布設すると、管10の間の隙間が上下方向に揃うことになる。したがって溝を砂で埋め戻すときに、砂が管10の間の隙間に充填されやすくなり、かつ充填後の填圧も十分に効かせることができる。
【００１３】
上記のように径の異なる管を複数列複数段に配置する場合、管枕12のサイズは管が細くなるほど小さくなるので（管枕は同じサイズの管を埋設する場合に左右の管の間隔が一定になるように設計されている）、２段目以上では管枕の間に隙間ができ、管枕を横に連結できなくなる。このような状態でも管枕の位置を安定させるためには、管枕を構成する下側半割部材及び上側半割部材として図２のような半割部材を用いるとよい。図２では下側半割部材13Ａのみを示すが、上側半割部材13Ｂも上下が反対になるだけで、これと同じ構造である。
【００１４】
図２に示す下側半割部材13Ａは、上側半割部材との対向面に半円溝状の管挟持部14を有し、その両側の平坦面に係止突起18と係止穴20を有している。係止突起18の先端には係止穴20の縁に引っ掛かる爪が形成されている。これにより、下側半割部材13Ａの管挟持部14に管をのせ、その上から同じ構造の上側半割部材を被せると、両半割部材の係止突起18と係止穴20が係合して、両半割部材が管を挟持した状態で結合されることになる。
【００１５】
また下側半割部材13Ａの下面（上側半割部材の上面）には、幅方向の中心に関して対称な位置にそれぞれ嵌合凸部22及び嵌合凹部24が形成されている。この嵌合凸部22と嵌合凹部24は、管枕を積み重ねるときに、これらを互いに嵌合させることにより、下段の管枕の上側半割部材と上段の管枕の下側半割部材を結合する部分である。嵌合凸部22の先端には嵌合凹部24の内部に引っ掛かる爪が形成されている。嵌合凸部22と嵌合凹部24の間隔Ｗは管枕のサイズに関係なく一定に設定されている。このようにすると、図１のように径の異なる管枕12を積み重ねた場合でも、管挟持部14の中心軸線が上下方向に揃うことになる。
【００１６】
また下側半割部材13Ａの一方の側面には上下方向にスライド凸条26が形成され、他方の側面には上下方向にスライド凹条28が形成されている。このスライド凸条26とスライド凹条28は、複数の下側半割部材13Ａを横方向に隣接して配置するときに、これらを上下方向にスライド嵌合させることにより、隣り合う下側半割部材13Ａを相互に連結する部分である。
【００１７】
次に図２の半割部材を用いて図１のような地中埋設管路を構成する手順を説明する。まず図３（Ａ）に示すように、地面に掘った溝の底に所定の間隔毎に一番太い管用の下側半割部材13Ａを配置する。このとき横方向に隣り合う下側半割部材13Ａはスライド凸条26とスライド凹条28をスライド嵌合させて連結する。次に同図（Ｂ）に示すように各下側半割部材13Ａの管挟持部14にのせるようにして一番太い管10を複数本配管する。その後、管10の上から上側半割部材13Ｂを被せて、下側半割部材13Ａの係止突起18と係止穴20（図２参照）に、上側半割部材13Ｂの係止穴20と係止突起18を嵌合させることにより、下側半割部材13Ａと上側半割部材13Ｂを結合する。これによって同図（Ｃ）のように一番太い管10が管枕12により位置決めされて配管された状態が得られる。
【００１８】
次に図４（Ａ）に示すように、一番太い管用の上側半割部材13Ｂの上に二番目に太い管用の下側半割部材13Ｂを積み重ねる。このとき上側半割部材13Ｂの上面の嵌合凸部22及び嵌合凹部24にそれぞれ下側半割部材13Ａの下面の嵌合凹部24及び嵌合凸部22を嵌合させる。これにより一番太い管用の上側半割部材13Ｂと二番目に太い管用の下側半割部材13Ａが管挟持部14の中心軸線を上下に揃えた状態で結合される。次に同図（Ｂ）に示すように二番目に太い管10を各下側半割部材13Ａの管挟持部14にのせるようにして複数本配管した後、その上から上側半割部材13Ｂを被せて下側半割部材13Ａに結合する。結合方法は一段目と同じである。このあと同様にして三番目に太い管用の管枕を用いて三番面に太い管を配管すれば図１と同様な地中埋設管路が得られる。
【００１９】
〔関連技術１〕  図５は本発明の関連技術を示す。この関連技術は、径の異なる管を複数列複数段に配管して地中埋設する場合に、同じ径の管が上下方向に並ぶようにしたものである。この関連技術では、まず地面に掘った溝の底に、図５（Ａ）に示すように一番太い管用の下側半割部材13Ａと二番目に太い管用の下側半割部材13Ａとを、横に並べて配置する。このとき両者の側面のスライド凸条26とスライド凹条28を上下方向にスライド嵌合させて、大きさの異なる下側半割部材13Ａ、13Ａを横方向に連結する。
【００２０】
次に図５（Ｂ）に示すように、連結された下側半割部材13Ａ、13Ａ上にそれぞれ一番太い管10と二番目に太い管10を配管し、その上にそれぞれ一番太い管用の上側半割部材13Ｂと二番目に太い管用の上側半割部材13Ｂを被せて、下側半割部材13Ａ、13Ａに結合する。このときも側面のスライド凸条とスライド凹条を上下方向にスライド嵌合させる。これにより大きさの異なる管枕12がそれぞれ管10を挟持して横方向に連結された状態となる。このあと、一番太い管用の上側半割部材13Ｂ上に、同じサイズの下側半割部材13Ａ、管10、上側半割部材13Ｂを積み重ね、二番目に太い管用の上側半割部材13Ｂ上に、同じサイズの下側半割部材13Ａ、管10、上側半割部材13Ｂを積み重ねる。
【００２１】
このように、側面に上下方向にスライド嵌合するスライド凸条26とスライド凹条28を設けた図２のような半割部材13Ａ、13Ｂを使用すれば、大きさの異なる管枕12を横方向に連結できるので、径の異なる管を複数列複数段に配管する場合に、同じ径の管を上下方向に積み重ねても、積み重ねた管が倒れるおそれがなくなり、また管10の間の隙間が上下方向に揃うので、埋め戻しの際に、管10の間に砂が充填されやすくなり、填圧の効きもよくなる。
なお図５では説明を簡単にするため管の径が２種類の場合を示したが、管の径が３種類以上の場合も同様である。
【００２２】
〔実施形態２〕  図６は管枕を構成する下側半割部材及び上側半割部材の他の実施形態を示す。図６では下側半割部材13Ａのみを示すが、上側半割部材13Ｂも上下が反対になるだけで、これと同じ構造である。この下側半割部材13Ａが図２のものと異なる点は、下面の、幅方向の中心に関して対称な位置に管軸方向にのびるスライド凸部30とスライド凹部32が形成されていることである。このスライド凸部30とスライド凹部32は、管枕を積み重ねるときに、これらを相手方のスライド凹部及びスライド凸部と管軸方向にスライド嵌合させることにより、下段の管枕の上側半割部材と上段の管枕の下側半割部材を結合する部分である。スライド凸部30とスライド凹部32の間隔Ｗは管枕のサイズに関係なく一定に設定されている。このような構成でも、図１のように径の異なる管枕12を積み重ねたときに、管挟持部14の中心軸線を上下方向に揃えることができる。上記以外の構成は図２のものと同じであるので、同一部分には同一符号を付して説明を省略する。
【００２３】
【発明の効果】
以上説明したように本発明によれば、径の異なる管を複数列複数段に配管して地中埋設する場合に、管の間の隙間が上下方向に揃うようになるので、埋め戻しの際に、管の間の隙間に砂を充填しやすくなると共に、填圧も効きやすくなる。したがって施工後に地表面が陥没するようなことをなくすことができる。
【図面の簡単な説明】
【図１】  本発明に係る地中埋設管路の一実施形態を示す正面図。
【図２】  本発明に係る地中埋設管路用の管枕を構成する下側半割部材の一実施形態を示す、（Ａ）は平面図、（Ｂ）は正面図、（Ｃ）は底面図、（Ｄ）は左側面図、（Ｅ）は右側面図。
【図３】  （Ａ）〜（Ｃ）は図２の半割部材を用いて図１のような地中埋設管路の１段目を構成する手順を示す正面図。
【図４】  （Ａ）、（Ｂ）は同じく２段目を構成する手順を示す正面図。
【図５】  本発明に係る地中埋設管路の関連技術を示す、（Ａ）は組立始めの段階の正面図、（Ｂ）は組立後の正面図。
【図６】  本発明に係る地中埋設管路用の管枕を構成する下側半割部材の他の実施形態を示す、（Ａ）は平面図、（Ｂ）は正面図、（Ｃ）は底面図、（Ｄ）は左側面図、（Ｅ）は右側面図。
【図７】  従来の地中埋設管路を埋め戻し前の状態で示す、（Ａ）は平面図、（Ｂ）は断面図。
【符号の説明】
10：管
12：管枕
13Ａ：下側半割部材
13Ｂ：上側半割部材
14：管挟持部
18：係止突起
20：係止穴
22：嵌合凸部
24：嵌合凹部
26：スライド凸条
28：スライド凹条
30：スライド凸部
32：スライド凹部
【図１】
0004785020.tif 000002
【図２】
0004785020.tif 000003
【図３】
0004785020.tif 000004
【図４】
0004785020.tif 000005
【図５】
0004785020.tif 000006
【図６】
0004785020.tif 000007
【図７】
0004785020.tif 000008